【手続補正書】
【提出日】平成24年3月27日(2012.3.27)
【手続補正１】
【補正対象書類名】明細書
【補正対象項目名】発明の名称
【補正方法】変更
【補正の内容】
【発明の名称】液晶表示装置
【手続補正２】
【補正対象書類名】特許請求の範囲
【補正対象項目名】全文
【補正方法】変更
【補正の内容】
【特許請求の範囲】
【請求項１】
第１の画素と、第２の画素と、回路と、を有し、
前記第１の画素は、第１の液晶素子を有し、
前記第２の画素は、第２の液晶素子を有し、
前記回路は、複数の第１の配線、複数の第２の配線、第３の配線、複数の第４の配線、及び第５の配線と電気的に接続され、
前記第１の画素は、前記第３の配線と電気的に接続され、
前記第２の画素は、前記第５の配線と電気的に接続され、
前記複数の第１の配線は、複数のデジタル信号を供給することができる機能を有し、
前記複数の第２の配線は、複数の第１の電圧を供給することができる機能を有し、
前記複数の第４の配線は、複数の第２の電圧を供給することができる機能を有し、
前記回路は、前記複数のデジタル信号にしたがって、前記複数の第２の配線のいずれか一の配線と前記第３の配線とを導通状態にすることができる機能と、前記複数のデジタル信号にしたがって、前記複数の第４の配線のいずれか一の配線と前記第５の配線とを導通状態にすることができる機能と、を有することを特徴とする液晶表示装置。
【請求項２】
第１の画素と、第２の画素と、第１の回路と、第２の回路と、を有し、
前記第１の画素は、第１の液晶素子を有し、
前記第２の画素は、第２の液晶素子を有し、
前記第１の回路は、複数の第１の配線、複数の第２の配線、及び第３の配線と電気的に接続され、
前記第２の回路は、前記複数の第１の配線、複数の第４の配線、及び第５の配線と電気的に接続され、
前記第１の画素は、前記第３の配線と電気的に接続され、
前記第２の画素は、前記第５の配線と電気的に接続され、
前記複数の第１の配線は、複数のデジタル信号を供給することができる機能を有し、
前記複数の第２の配線は、複数の第１の電圧を供給することができる機能を有し、
前記複数の第４の配線は、複数の第２の電圧を供給することができる機能を有し、
前記第１の回路は、前記複数のデジタル信号にしたがって、前記複数の第２の配線のいずれか一の配線と前記第３の配線とを導通状態にすることができる機能を有し、
前記第２の回路は、前記複数のデジタル信号にしたがって、前記複数の第４の配線のいずれか一の配線と前記第５配線とを導通状態にすることができる機能を有することを特徴とする液晶表示装置。
【請求項３】
第１の画素と、第２の画素と、第１の回路と、第２の回路と、第３の回路と、を有し、
前記第１の画素は、第１の液晶素子を有し、
前記第２の画素は、第２の液晶素子を有し、
前記第１の回路は、複数の第１の配線と電気的に接続され、
前記第２の回路は、複数の第２の配線、及び第３の配線と電気的に接続され、
前記第３の回路は、複数の第４の配線、及び第５の配線と電気的に接続され、
前記第１の画素は、前記第３の配線と電気的に接続され、
前記第２の画素は、前記第５の配線と電気的に接続され、
前記複数の第１の配線は、複数の第１のデジタル信号を供給することができる機能を有し、
前記複数の第２の配線は、複数の第１の電圧を供給することができる機能を有し、
前記複数の第４の配線は、複数の第２の電圧を供給することができる機能を有し、
前記第１の回路は、前記複数の第１のデジタル信号を複数の第２のデジタル信号に変換することができる機能を有し、
前記第２の回路は、前記複数の第２のデジタル信号にしたがって、前記複数の第２の配線のいずれか一の配線と前記第３の配線とを導通状態にすることができる機能を有し、
前記第３の回路は、前記複数の第２のデジタル信号にしたがって、前記複数の第４の配線のいずれか一の配線と前記第５配線とを導通状態にすることができる機能を有することを特徴とする液晶表示装置。
【請求項４】
第１の画素と、第２の画素と、複数の第１のスイッチと、複数の第２のスイッチと、回路と、を有し、
前記第１の画素は、第１の液晶素子を有し、
前記第２の画素は、第２の液晶素子を有し、
前記回路は、複数の第１の配線と電気的に接続され、
前記複数の第１のスイッチの一方の端子は、各々、複数の第２の配線のうち対応する１本の配線と電気的に接続され、
前記複数の第１のスイッチの他方の端子は、第３の配線と電気的に接続され、
前記複数の第２のスイッチの一方の端子は、各々、複数の第４の配線のうち対応する１本の配線と電気的に接続され、
前記複数の第２のスイッチの他方の端子は、第５の配線と電気的に接続され、
前記第１の画素は、前記第３の配線と電気的に接続され、
前記第２の画素は、前記第５の配線と電気的に接続され、
前記複数の第１の配線は、複数の第１のデジタル信号を供給することができる機能を有し、
前記複数の第２の配線は、複数の第１の電圧を供給することができる機能を有し、
前記複数の第４の配線は、複数の第２の電圧を供給することができる機能を有し、
前記回路は、前記複数の第１のデジタル信号を複数の第２のデジタル信号に変換することができる機能を有し、
前記複数の第２のデジタル信号にしたがって、前記複数の第１のスイッチのいずれか一がオンになり、
前記複数の第２のデジタル信号にしたがって、前記複数の第２のスイッチのいずれか一がオンになることを特徴とする液晶表示装置。
【請求項５】
第１の画素と、第２の画素と、第１の回路と、第２の回路と、第３の回路と、第４の回路と、第５の回路と、第６の回路と、を有し、
前記第１の画素は、第１の液晶素子を有し、
前記第２の画素は、第２の液晶素子を有し、
前記第１の回路は、複数の第１の配線と電気的に接続され、
前記第２の回路は、複数の第２の配線、及び第３の配線と電気的に接続され、
前記第３の回路は、複数の第４の配線、及び第５の配線と電気的に接続され、
前記第４の回路は、前記複数の第１の配線と電気的に接続され、
前記第５の回路は、複数の第６の配線、及び前記第３の配線と電気的に接続され、
前記第６の回路は、複数の第７の配線、及び前記第５の配線と電気的に接続され、
前記第１の画素は、前記第３の配線と電気的に接続され、
前記第２の画素は、前記第５の配線と電気的に接続され、
前記複数の第１の配線は、複数の第１のデジタル信号を供給することができる機能を有し、
前記複数の第２の配線は、複数の第１の電圧を供給することができる機能を有し、
前記複数の第４の配線は、複数の第２の電圧を供給することができる機能を有し、
前記複数の第６の配線は、複数の第３の電圧を供給することができる機能を有し、
前記複数の第７の配線は、複数の第４の電圧を供給することができる機能を有し、
前記第１の回路は、前記複数の第１のデジタル信号を複数の第２のデジタル信号に変換することができる機能を有し、
前記第２の回路は、前記複数の第２のデジタル信号にしたがって、前記複数の第２の配線のいずれか一の配線と前記第３の配線とを導通状態にすることができる機能を有し、
前記第３の回路は、前記複数の第２のデジタル信号にしたがって、前記複数の第４の配線のいずれか一の配線と前記第５配線とを導通状態にすることができる機能を有し、
前記第４の回路は、前記複数の第１のデジタル信号を複数の第３のデジタル信号に変換することができる機能を有し、
前記第５の回路は、前記複数の第３のデジタル信号にしたがって、前記複数の第６の配線のいずれか一の配線と前記第３の配線とを導通状態にすることができる機能を有し、
前記第６の回路は、前記複数の第３のデジタル信号にしたがって、前記複数の第７の配線のいずれか一の配線と前記第５配線とを導通状態にすることができる機能を有することを特徴とする液晶表示装置。
【請求項６】
第１の画素と、第２の画素と、第１の回路と、第２の回路と、第３の回路と、第４の回路と、第５の回路と、第１のスイッチと、第２のスイッチと、第３のスイッチと、第４のスイッチと、を有し、
前記第１の画素は、第１の液晶素子を有し、
前記第２の画素は、第２の液晶素子を有し、
前記第１の回路は、複数の第１の配線と電気的に接続され、
前記第２の回路は、複数の第２の配線、及び前記第１のスイッチの第１の端子の第１の端子と電気的に接続され、
前記第１のスイッチの第２の端子は、第３の配線と電気的に接続され、
前記第３の回路は、複数の第４の配線、及び前記第２のスイッチの第１の端子と電気的に接続され、
前記第２のスイッチの第２の端子は、第５の配線と電気的に接続され、
前記第４の回路は、複数の第６の配線、及び前記第３のスイッチの第１の端子と電気的に接続され、
前記第３のスイッチの第２の端子は、前記第３の配線と電気的に接続され、
前記第５の回路は、複数の第７の配線、及び前記第４のスイッチの第１の端子と電気的に接続され、
前記第４のスイッチの第２の端子は、前記第５の配線と電気的に接続され、
前記第１の画素は、前記第３の配線と電気的に接続され、
前記第２の画素は、前記第５の配線と電気的に接続され、
前記複数の第１の配線は、複数の第１のデジタル信号を供給することができる機能を有し、
前記複数の第２の配線は、複数の第１の電圧を供給することができる機能を有し、
前記複数の第４の配線は、複数の第２の電圧を供給することができる機能を有し、
前記複数の第６の配線は、複数の第３の電圧を供給することができる機能を有し、
前記複数の第７の配線は、複数の第４の電圧を供給することができる機能を有し、
前記第１の回路は、前記複数の第１のデジタル信号を複数の第２のデジタル信号に変換することができる機能を有し、
前記第２の回路は、前記複数の第２のデジタル信号にしたがって、前記複数の第２の配線のいずれか一の配線と前記前記第１のスイッチの第２の端子とを導通状態にすることができる機能を有し、
前記第３の回路は、前記複数の第２のデジタル信号にしたがって、前記複数の第４の配線のいずれか一の配線と前記前記第２のスイッチの第２の端子とを導通状態にすることができる機能を有し、
前記第４の回路は、前記複数の第２のデジタル信号にしたがって、前記複数の第６の配線のいずれか一の配線と前記第３のスイッチの第２の端子とを導通状態にすることができる機能を有し、
前記第５の回路は、前記複数の第２のデジタル信号にしたがって、前記複数の第７の配線のいずれか一の配線と前記第４のスイッチの第２の端子とを導通状態にすることができる機能を有することを特徴とする液晶表示装置。
【請求項７】
請求項１乃至請求項６のずれか一項に記載の液晶表示装置と、ＦＰＣと、を有することを特徴とする表示モジュール。
【請求項８】
請求項７に記載の表示モジュールと、スイッチまたは操作キーとを具備する電子機器。